(57)【要約】【課題】メンテナンス業務として時間、労力、費用のかかる汚れ仕事を解決することで、作業効率、労働安全、生産性の向上を図ること。【解決手段】洗浄液を供給し、ブラシローラ２によりシリンダ１００の表面に付着した異物を除去するシリンダ洗浄用ブラシユニットにおいて、ブラシローラ２の回転方向下流で、ユニット開口部９よりブラシローラ２の回転方向上流にフリッパーバー３を配置すると共に、開口部にはシリンダ表面から除去された異物を受け皿に入る前に捕らえる為のフィルタ１０が設けられている。これにより洗浄廃液の中から異物がフイルタでろ過されるので、汚泥状異物による受け皿の汚れや受け皿から洗浄廃液を排出するドレインパイプ等の詰まり等のトラブル対策の負担が軽減される。【選択図】        図１
2004148132.tif 000002
【特許請求の範囲】
【請求項１】
洗浄液を供給し、ブラシローラによりシリンダ表面に付着した異物を除去するシリンダ洗浄用ブラシユニットにおいて、
前記シリンダ表面から除去される異物を含む洗浄廃液を前記ユニットから排出する開口部を有し、該開口部に前記洗浄廃液をろ過するフィルタを備えていることを特徴とするブラシユニット。
【請求項２】
洗浄液を供給し、ブラシローラによりシリンダ表面に付着した異物を除去するシリンダ洗浄用ブラシユニットにおいて、
前記シリンダとブラシローラの接触位置よりブラシローラの回転方向下流に位置し、シリンダ表面から除去される異物を含む洗浄廃液を前記ユニットから排出する開口部と、
前記洗浄廃液をろ過するフィルタと、を備え、
前記フィルタは、前記開口部を含むと共に、少なくとも前記シリンダとブラシローラの接触位置における接線付近まで延びて配置されていることを特徴とするブラシユニット。
【請求項３】
請求項１または２において、フィルタがファブリック或いはネット或いは孔の開いたフィルムで構成されていることを特徴とするブラシユニット。
【請求項４】
請求項３において、ファブリック或いはネット或いは孔の開いたフィルムがシート状であることを特徴とするブラシユニット。
【請求項５】
請求項１または２において、ブラシローラがシリンダに当接する位置のほぼ反対側に、前記ブラシローラの外周面に対し所定円周範囲に接触する曲面を有するブラシ対向フレームがユニットのサイドフレームに固定されていることを特徴とするブラシユニット。
【請求項６】
請求項１または２において、ブラシローラがシリンダに当接する位置のほぼ反対側に、前記ブラシローラの外周面に接近させた曲面を有するブラシ対向フレームがユニットのサイドフレームに固定されていることを特徴とするブラシユニット。
【請求項７】
請求項３において、フィルタが長尺ファブリック或いは長尺ネット或いは孔の開いた長尺フィルムで構成され、該長尺フィルタの格納部を備えていることを特徴とするブラシユニット。
【請求項８】
請求項７において、使用したフィルタを巻き上げるフィルタ巻取り手段を備えていることを特徴とするブラシユニット。
【請求項９】
請求項１または２において、ブラシユニットの開口部は、シリンダとブラシローラの接触位置よりブラシローラの回転方向下流に位置され、該開口部より上流に配置されたフリッパーバーを有し、該フリッパーバーの前記ブラシローラに当接する点を移動可能にし、該フリッパーバーの位置調整を行う機構が設けられていることを特徴とするブラシユニット。
【請求項１０】
請求項３において、フィルタが受け部材によって支えられていることを特徴とするブラシユニット。
【請求項１１】
請求項７において、格納部に格納されたフィルタが使用終了又は全部使用終了したことを検知するフィルタ検知手段を備えていることを特徴とするブラシユニット。
【請求項１２】
請求項９において、ブラシローラの長手方向に延びたステーをユニットのサイドフレームに固着すると共に、前記ステーにはフリッパーバーを移動可能に支持し、該フリッパーバーの位置調整機構を前記ステーに配置されていることを特徴とするブラシユニット。
【請求項１３】
請求項１２において、ステーはブラシローラの長手方向に延びた、コの字型のチャンネル構造又はＬ字型のアングル構造とし、前記チャンネル又はアングルの内側空間にフリッパーバーの位置調整機構が配置されていることを特徴とするブラシユニット。
【請求項１４】
請求項９において、ブラシローラの長手方向に延びたチャンネル構造又はアングル構造のステーをユニットのサイドフレームに固着すると共に、前記ステーのチャンネル又はアングルの内側空間がフィルタの格納部に利用されていることを特徴とするブラシユニット。
【請求項１５】
請求項９〜１４のいずれかの記載において、ブラシローラがシリンダ表面に当接する位置で、前記ブラシローラとシリンダの回転方向が下向きであることを特徴とするブラシユニット。
【請求項１６】
請求項８において、フィルタ巻取り手段の巻取り軸は、長尺フィルタを取り付ける際に正規の取付け位置を確認する為のセット確認手段を有することを特徴とするブラシユニット。
【請求項１７】
ブラシローラによりシリンダ表面に付着した異物を除去するシリンダ洗浄用ブラシユニットにおいて、
前記シリンダ表面から除去される異物を前記ユニットから排出する開口部を有し、該開口部に前記異物を受けるシート又はウェブを備えていることを特徴とするブラシユニット。
【請求項１８】
請求項１７において、ブラシユニットの開口部は、シリンダとブラシローラの接触位置よりブラシローラの回転方向下流に位置され、該開口部より上流に配置されたフリッパーバーを有し、該フリッパーバーの前記ブラシローラに当接する点を移動可能にし、該フリッパーバーの位置調整を行う機構が設けられていることを特徴とするブラシユニット。
【請求項１９】
ブラシローラによりシリンダ表面に付着した異物を除去するシリンダ洗浄用ブラシユニットにおいて、
前記ブラシローラに対してシリンダの反対側にブラシ対向フレームを配置すると共に、該ブラシ対向フレームがブラシローラに接触又は接近させた所定角度範囲の曲面と、前記曲面の下部縁から斜め後方に延びている前記シリンダに対し離れる斜面とを有することを特徴とするブラシユニット。
【請求項２０】
請求項１９において、ブラシローラに洗浄液を供給する手段を備えていることを特徴とするブラシユニット。
【請求項２１】
請求項１９又は２０において、ブラシローラがシリンダに当接する位置とブラシ対向フレームの斜面との間に、前記ブラシローラに当接するフリッパーバーが配置されていることを特徴とするブラシユニット。
【請求項２２】
請求項２１において、ブラシローラに対するフリッパーバーの当接する部分が前記ブラシローラの回転中心を通る垂直面を含むその近傍に位置させたことを特徴とするブラシユニット。
【請求項２３】
洗浄液を供給し、ブラシローラによりシリンダ表面に付着した異物を除去するシリンダ洗浄用ブラシユニットに配備され、前記シリンダ表面から除去された異物を含む洗浄廃液を受ける前記ユニットの下部域に位置して配備される受け皿において、
前記洗浄廃液を受ける受け皿開口部と廃液処理手段とを備え、前記受け皿開口部のほぼ全体或いは一部がフィルタで覆われていることを特徴とする受け皿。
【請求項２４】
洗浄液を供給し、ブラシローラによりシリンダ表面に付着した異物を除去するシリンダ洗浄用ブラシユニットに配備され、前記シリンダ表面から除去された異物を含む洗浄廃液を受ける前記ユニットの下部域に位置して配備される受け皿において、
前記洗浄廃液を受ける受け皿開口部と、
前記受け皿開口部のほぼ全体或いは一部を覆い、洗浄廃液をろ過するフィルタと、
前記フィルタでろ過された洗浄廃液を排出する排液口と、を備え、
前記フィルタは、少なくともブラシローラとシリンダとの接触位置における接線付近まで延びて配置されていることを特徴とする受け皿。
【請求項２５】
請求項２３又は２４において、受け皿の下方に排液受け皿を配置し、該排液受け皿が前記受け皿の排液口から排出される洗浄廃液を受けることを特徴とする受け皿。
【請求項２６】
請求項２３又は２４において、フィルタがファブリック或いはネット或いは孔の開いたフィルムで構成されていることを特徴とする受け皿。
【請求項２７】
請求項２６において、ファブリック或いはネット或いは孔の開いたフィルムがシート状であることを特徴とする受け皿。
【請求項２８】
請求項２６において、フィルタが長尺ファブリック或いは長尺ネット或いは孔の開いた長尺フィルムで構成され、該長尺フィルタの格納部を備えていることを特徴とする受け皿。
【請求項２９】
請求項２８において、使用したフィルタを巻き上げるフィルタ巻取り手段を備えていることを特徴とする受け皿。
【請求項３０】
請求項２９において、受け皿が第一の端部と該第一の端部とは反対側に位置する第二の端部とを有し、前記第一の端部にフィルタ格納部を、前記第二の端部にフィルタ巻取り手段を配置したことを特徴とする受け皿。
【請求項３１】
請求項３０において、フィルタ巻取り手段が受け皿の内側に配置されていることを特徴とする受け皿。
【請求項３２】
請求項３０において、フィルタ格納部が受け皿の第一の端部でかつその背面側に配置されていることを特徴とする受け皿。
【請求項３３】
請求項３０〜３２のいずれかの記載において、ブラシローラがシリンダに対して接離する手段を持つブラシユニットに設けられる受け皿であって、前記受け皿は前記手段に連係して作動する駆動手段を有し、該駆動手段でフィルタ巻取り手段のフィルタ巻取部を駆動し使用したフィルタを巻き取ることを特徴とする受け皿。
【請求項３４】
請求項２８において、格納部に格納されたフィルタが使用終了又は全部使用終了したことを検知するフィルタ検知手段を備えていることを特徴とする受け皿。
【請求項３５】
請求項２３又は２４において、ファブリック或いはネット或いは孔の開いたフィルムからなるシート状フィルタを受け皿開口部に固定する機構が配備されていることを特徴とする受け皿。
【請求項３６】
請求項２３又は２４において、廃液処理手段が排液口で構成されていることを特徴とする受け皿。
【請求項３７】
請求項２３又は２４において、廃液処理手段が吸液材で構成されていることを特徴とする受け皿。
【請求項３８】
請求項２３又は２４において、廃液処理手段が固化剤又はゲル化剤で構成されていることを特徴とする受け皿。
【請求項３９】
請求項２５において、フィルタが受け部材によって支えられていることを特徴とする受け皿。
【請求項４０】
請求項１又は２のブラシユニットまたは請求項２３又は２４の受け皿に用いられ、穴加工された板状部材で構成されていることを特徴とするフィルタ。
【請求項４１】
請求項４０において、表面に凸部又は凹部を持っていることを特徴とするフィルタ。
【請求項４２】
請求項４０において、表面が波状に形成されていることを特徴とするフィルタ。
【請求項４３】
請求項４０〜４２のいずれかの記載において、板状部材の表面をファブリック或いはネット或いは孔の開いたフィルムで覆うことを特徴とするフィルタ。
【請求項４４】
請求項４０〜４２のいずれかの記載において、板状部材の表面が潤滑剤で潤滑機能を付与することを特徴とするフィルタ。
【請求項４５】
請求項１６のブラシユニットに使用する、セット確認手段を有することを特徴とする長尺フィルタ。
【請求項４６】
請求項３５の受け皿に用いられ、受け皿開口部に設けられたシート状フィルタの固定機構に対応した被固定手段を備えていることを特徴とするフィルタ。
【請求項４７】
請求項１〜２２のいずれかに記載のブラシユニット及び請求項２３〜３９のいずれかに記載の受け皿を備えていることを特徴とするシリンダ洗浄装置。
【発明の詳細な説明】
【０００１】
【発明の属する技術分野】
本発明は、オフセット印刷機、製紙機、紙加工機、繊維機械などの加工機のシリンダの外周面に付着した異物を除去するシリンダ洗浄用ブラシユニット及びシリンダ洗浄装置に関する。
【０００２】
【従来の技術】
例えば、各種印刷機のシリンダ表面には、印刷紙粉等の汚れが付着するため、高い印刷品質を維持するためには周期的にシリンダ表面を洗浄する必要がある。この洗浄を自動的に行う装置としては、従来から種々の装置が提案されている。
図２９は従来のシリンダ洗浄装置の側面図、図３０は斜視図である。シリンダ洗浄装置は、ブラシローラ２がフレーム５に回転可能に支持され、ブラシローラ２の後方上部に溶剤を噴射する溶剤用ノズル８Ａと水を噴射する水用ノズル８Ｂが設けられており、ブラシローラ２の後方下部にはフレーム５に固定されたステー４にフリッパーバー３が取り付けられている。ブラシローラ２とノズル８Ａ，８Ｂの上方にはノズルを覆うようにカバー７が設けられている。ブラシローラ２の下部域にはブラシローラ２でシリンダ表面に付着した異物と共に掻き取られた洗浄廃液を受ける受け皿５０が配設されている。受け皿５０は、排液口５１を有し、この排液口５１からドレインパイプ５２を通して排出される。符号９０は、ブラシローラ２を回転駆動するモータ等の駆動装置である。
一方、上記洗浄廃液のドレイン機構が配備されていない受け皿を使用する場合は、受け皿に溜まった洗浄廃液を別容器に移し廃棄処分される。
【０００３】
【発明が解決しようとする課題】
ドレイン機構が配備されていない受け皿を使用した場合は、受け皿を所定の位置から頻繁に取り外し、その受け皿に溜まった洗浄廃液を溢さないように注意深く別容器に移さなければならず、かつ異物により汚れた受け皿内部を洗浄するという時間と労力を要する汚れ仕事を必要とし多数のブラシユニットを取り付けた機械においては作業員に多大な負担となっているのが現状である。
また、ドレイン機構を配備した受け皿においては、通常ドレイン機構にドレインパイプを接続し、このドレインパイプを通して洗浄廃液を別容器に移しているが、洗浄廃液中の異物がドレインパイプの内壁に付着堆積し、パイプ内部を詰まらせ受け皿に落ちる溶剤が充分ドレインできなくなり、オーバーフローさせる原因となっていると共に、詰まったドレイン機構、ドレインパイプの洗浄は時間及び労力を伴う汚れ仕事を必要とし、パイプの交換設置を必要とすることもある。
本発明の目的はメンテナンス業務として時間、労力、費用のかかる汚れ仕事を解決することで、作業効率、労働安全、生産性向上を図ったブラシユニットおよびそれを備えたシリンダ洗浄装置を提供することにある。
【０００４】
【課題を解決するための手段】
上記の目的を達成するため、請求項１の発明は、洗浄液を供給し、ブラシローラによりシリンダ表面に付着した異物を除去するシリンダ洗浄用ブラシユニットにおいて、シリンダ表面から除去される異物を含む洗浄廃液を前記ユニットから排出する開口部を有し、該開口部に洗浄廃液をろ過するフィルタを備えていることを特徴とする。
請求項１の発明によれば、ブラシローラによりシリンダ表面から除去された異物が受け皿に入る前に捕らえられ、受け皿に直接接触せず、異物が付着する為に受け皿が汚れることを防止できると共に、異物を容易に排出処理できる。また、異物を含む洗浄廃液の中から異物が開口部で洗浄廃液からろ過されることにより、汚泥状異物による受け皿の汚れや受け皿から洗浄廃液を排出するドレインパイプ等の詰まり等のトラブル対策の負担が軽減される。
【０００５】
請求項２の発明は、洗浄液を供給し、ブラシローラによりシリンダ表面に付着した異物を除去するシリンダ洗浄用ブラシユニットにおいて、シリンダとブラシローラの接触位置よりブラシローラの回転方向下流に位置し、シリンダ表面から除去される異物を含む洗浄廃液を前記ユニットから排出する開口部と、洗浄廃液をろ過するフィルタとを備え、フィルタは、開口部を含むと共に、少なくともシリンダとブラシローラの接触位置における接線付近まで延びて配置されていることを特徴とする。
請求項２の発明によれば、ブラシローラとシリンダとの接触位置でたわんでいたブラシがその接触状態の解除によりブラシが戻る時に跳ねる作用（フリッパー現象）によってシリンダ表面から掻き取られた異物を含む洗浄廃液がシリンダに近い上記接触位置の下方域に飛散する。フィルタが開口部を含むと共に、少なくともシリンダとブラシローラの接触位置における接線付近まで延びて配置されているので、シリンダに近い上記接触位置の下方域に飛散する洗浄廃液を受けることができる。
【０００６】
請求項３の発明は、請求項１または２において、フィルタがファブリック或いはネット或いは孔の開いたフィルムで構成されていることを特徴とする。
請求項３の発明によれば、フィルタが簡素な構造なので、取り扱い易く、異物により汚れる部材が少なくて済む。
【０００７】
請求項４の発明は、請求項３において、ファブリック或いはネット或いは孔の開いたフィルムがシート状であることを特徴とする。
請求項４の発明によれば、シート状のフィルタを使用することで、シリンダ表面に付着する異物が少なく、取換頻度が少ない場合や小型化で取付けスペースが狭い場所に有効である。
【０００８】
請求項５の発明は、請求項１または２において、ブラシローラがシリンダに当接する位置のほぼ反対側に、ブラシローラの外周面に対し所定円周範囲に接触する曲面を有するブラシ対向フレームがユニットのサイドフレームに固定されていることを特徴とする。
請求項５の発明によれば、ブラシローラがシリンダ表面から異物を含む洗浄廃液を掻き取った後、回転しているとブラシに付着した異物を含む洗浄廃液が遠心力を受けてブラシから飛散してブラシユニット内面に付着する現象が起こる。この対策として、ブラシローラがシリンダに当接する位置のほぼ反対側に、ブラシローラの外周面に対し所定円周範囲に接触する曲面を有するブラシ対向フレームを設けることにより、このフレームおよびフレーム上部にかけて、異物が多量に付着蓄積するのを防止できる。ブラシローラと対向フレームとを接触（キスタッチ、摺接を含む）させることにより、対向フレームに異物が蓄積するのを防止し、同時にブラシのセルフクリーニング効果が得られる。
【０００９】
請求項６の発明は、請求項１または２において、ブラシローラがシリンダに当接する位置のほぼ反対側に、ブラシローラの外周面に接近させた曲面を有するブラシ対向フレームがユニットのサイドフレームに固定されていることを特徴とする。
請求項６の発明によれば、ブラシローラの構造によってはブラシローラをシリンダに所定圧で押し付けるとブラシローラの中央部分がブラシ対向フレーム側に湾曲する。この状態のときブラシローラとブラシ対向フレームが接触するよう、ブラシローラとブラシ対向フレームの曲面との間にわずかな隙間（接近状態）を形成しておく。これによりブラシローラがたわんでブラシ対向フレームと接触しても両部材間の摺接抵抗を増大させることがなく、請求項５と同様の作用効果が得られる。
【００１０】
請求項７の発明は、請求項３において、フィルタが長尺ファブリック或いは長尺ネット或いは孔の開いた長尺フィルムで構成され、該長尺フィルタの格納部を備えていることを特徴とする。
請求項７の発明によれば、格納部に収容した長尺のファブリック等を徐々に使い、長時間に渡りファブリック等を交換せずに装置を稼動することができるので、受け皿のクリーニング回数を減らすことができ、生産性の向上が図れる。長尺フィルタはコア付きロール状、コア無しロール状、ジグザグ折り状の形態が適用できる。
【００１１】
請求項８の発明は、請求項７において、使用したフィルタを巻き上げるフィルタ巻取り手段を備えていることを特徴とする。
請求項８の発明によれば、使用済のファブリック等を巻き上げることにより、長尺のファブリック等を格納部より繰り出し、これをフィルタ巻取手段で巻き取るので、巻き取られた使用済ファブリックロール等は廃棄等の後処理がし易くなる。
【００１２】
請求項９の発明は、請求項１または２において、ブラシユニットの開口部は、シリンダとブラシローラの接触位置よりブラシローラの回転方向下流に位置され、該開口部より上流に配置されたフリッパーバーを有し、該フリッパーバーのブラシローラに当接する点を移動可能にし、該フリッパーバーの位置調整を行う機構が設けられていることを特徴とする。
請求項９の発明によれば、シリンダ表面から除去した異物を含む洗浄廃液をフリッパーバーによりブラシローラから離れさせ、これを開口部を目指して飛散させることができ、かつフリッパーバー位置調整により適確に飛散させることができる。
【００１３】
請求項１０の発明は、請求項３において、フィルタが受け部材によって支えられていることを特徴とする。
請求項１０の発明によれば、フィルタを受け部材で支えるので、フィルタが緩んだり、傾いたり、外れたり、破損して異物が飛散落下するのを防止でき、安定した洗浄が行える。
【００１４】
請求項１１の発明は、請求項７において、格納部に格納されたフィルタが使用終了又は全部使用終了したことを検知するフィルタ検知手段を備えていることを特徴とする。
請求項１１の発明によれば、格納部の未使用フィルタが無くなることを検知できるので、無くなる前または無くなった直後に新しいフィルタを補給できる。フィルタが無いために生ずる開口部を通過する異物によるトラブルを少なくできる。
【００１５】
請求項１２の発明は、請求項９において、ブラシローラの長手方向に延びたステーをユニットのサイドフレームに固着すると共に、ステーにはフリッパーバーを移動可能に支持し、該フリッパーバーの位置調整機構をステーに配置されていることを特徴とする。
請求項１２の発明によれば、フリッパーバーが移動可能なので、フリッパーバーのブラシローラとの接触部が摩耗した場合にブラシ当たりの調整ができ、ブラシローラから異物を除去する機能が保たれる。
【００１６】
請求項１３の発明は、請求項１２において、ステーはブラシローラの長手方向に延びた、コの字型のチャンネル構造又はＬ字型のアングル構造とし、前記チャンネル又はアングルの内側空間にフリッパーバーの位置調整機構が配置されていることを特徴とする。
請求項１３の発明によれば、従来はハウジングを解体し、ブラシローラを取外してスプレーバーを調整していたが、ステーにフリッパーバーおよびその位置調整機構を設けることにより、ハウジングを解体せずに前および下から調整可能となると共に、フリッパーバーの位置が正確に調整し易くなり、位置調整機構に洗浄廃液や異物の汚れが直接かからない。また、コ字型チャンネル構造またはＬ字型アングル構造により、異物の飛散方向に向けて遮蔽することにより、使用前のファブリック等の汚損を防止し、空間を有効利用し、ファブリックロール等を外せば、チャンネル、アングルの内側からフリッパーバーの位置調整を容易にできる。
【００１７】
請求項１４の発明は、請求項９において、ブラシローラの長手方向に延びたチャンネル構造又はアングル構造のステーをユニットのサイドフレームに固着すると共に、ステーのチャンネル又はアングルの内側空間がフィルタの格納部に利用されていることを特徴とする。
請求項１４の発明によれば、ステーにフィルタ格納部を設けることにより、フィルタ格納部に洗浄廃液や異物の汚れが直接かからない。また、コ字型チャンネル構造またはＬ字型アングル構造により、異物の飛散方向に向けて遮蔽することにより、使用前のファブリック等の汚損を防止し、空間を有効利用できる。
【００１８】
請求項１５の発明は、請求項９〜１４のいずれかの記載において、ブラシローラがシリンダ表面に当接する位置で、ブラシローラとシリンダの回転方向が下向きであることを特徴とする。
請求項１５の発明によれば、異物を含む洗浄廃液の飛散方向を下向きにし、フィルタを介して受け皿への洗浄廃液の落し込みを確実にする。
【００１９】
請求項１６の発明は、請求項８において、フィルタ巻取り手段の巻取り軸は、長尺フィルタを取り付ける際に正規の取付け位置を確認する為のセット確認手段を有することを特徴とする。
請求項１６の発明によれば、長尺フィルタは格納部から繰り出され巻き取り手段で巻き取られる長い距離を通過し、鋭角に曲がる場合もある。従って、ガイドローラを設けたり、請求項２８〜３２に記載したようにフィルタと接触する際に抵抗が少なくなるよう工夫する。ファブリックにしても、不織布を使う場合の様に、その製造工程に起因する表面と裏面との滑らかさ、および異物捕捉効果の違いを考慮して使用する必要がある。巻取り軸にセット確認手段を設けることによりフィルタの表裏を間違わずにセットすることができる。
【００２０】
請求項１７の発明は、ブラシローラによりシリンダ表面に付着した異物を除去するシリンダ洗浄用ブラシユニットにおいて、シリンダ表面から除去される異物をユニットから排出する開口部を有し、該開口部に異物を受けるシート又はウェブを備えていることを特徴とする。
請求項１７の発明によれば、シリンダ表面から除去された異物をシート又はウェブで捕らえるので、異物が受け皿に直接接触せず、異物が付着する為に受け皿が汚れることを防止できると共に、異物を容易に排出処理できる。
【００２１】
請求項１８の発明は、請求項１７において、ブラシユニットの開口部は、シリンダとブラシローラの接触位置よりブラシローラの回転方向下流に位置され、該開口部より上流に配置されたフリッパーバーを有し、該フリッパーバーのブラシローラに当接する点を移動可能にし、該フリッパーバーの位置調整を行う機構が設けられていることを特徴とする。
請求項１８の発明によれば、フリッパーバーおよびその調整機構を用いるので、ブラシローラに付着した異物をブラシローラから除去しシート又はウェブで受けられる。またフリッパーバーのブラシローラとの接触部が摩耗した場合にブラシ当たりの調整ができ、ブラシローラから異物を除去する機能が保たれる。
フリッパー現象により異物がブラシローラから飛散する角度を調整でき、ブラシ対向フレームの方向に極力飛散しない様にしてブラシ対向フレームへの異物の付着を極力少なくする。
【００２２】
請求項１９の発明は、ブラシローラによりシリンダ表面に付着した異物を除去するシリンダ洗浄用ブラシユニットにおいて、ブラシローラに対してシリンダの反対側にブラシ対向フレームを配置すると共に、該ブラシ対向フレームがブラシローラに接触又は接近させた所定角度範囲の曲面と、曲面の下部縁から斜め後方に延びているシリンダに対し離れる斜面とを有することを特徴とする。
請求項１９の発明によれば、上記請求項５と同様の作用効果が得られる。更には曲面の下部縁から斜め後方に延びている斜面なので、フリッパー現象で異物が飛散しても斜面に異物が衝突しないか、又は衝突角度が小さいので、異物の斜面への付着を極力抑えると共に、洗浄時の振動の発生を抑えることができる。
【００２３】
請求項２０の発明は、請求項１９において、ブラシローラに洗浄液を供給する手段を備えていることを特徴とする。
請求項２０の発明によれば、洗浄液を使用することで、効率的な洗浄ができる。
【００２４】
請求項２１の発明は、請求項１９又は２０において、ブラシローラがシリンダに当接する位置とブラシ対向フレームの斜面との間に、ブラシローラに当接するフリッパーバーが配置されていることを特徴とする。
請求項２１の発明によれば、シリンダ表面から除去した異物又は異物を含む洗浄廃液をフリッパーバーによりブラシローラから離れさせ、斜面とフリッパーバーとの間を目指して飛散させることができ、かつフリッパーバー位置調整により適確に飛散させることができる。
【００２５】
請求項２２の発明は、請求項２１において、ブラシローラに対するフリッパーバーの当接する部分が前記ブラシローラの回転中心を通る垂直面を含むその近傍に位置させたことを特徴とする。
請求項２２の発明によれば、次のような問題の改善が図れる。すなわち、フリッパーバーがブラシローラの回転中心を通る垂直面よりシリンダ面方向に離れて設置すると、フリッパーバーはブラシローラに接触可能に設けるので、フリッパーバーの位置が高くなってしまい、ブラシローラを調整、取替等の為に取り外すときに必ずフリッパーバー及びステーを取外さなければならず、作業時間が長くなってしまう。一方フリッパーバーがブラシローラの回転中心を通る垂直面よりブラシ対向フレーム側に離れて設置すると、フリッパーバーの角度接触位置を調整する際にフリッパーバーが見えないので、上記調整が困難となり、作業性が悪くなると共に、ブラシ対向フレームへの異物の衝突角度も大きく、かつ開口部も狭くなる等の問題の改善を図ることができる。
【００２６】
請求項２３の発明は、洗浄液を供給し、ブラシローラによりシリンダ表面に付着した異物を除去するシリンダ洗浄用ブラシユニットに配備され、シリンダ表面から除去された異物を含む洗浄廃液を受ける前記ユニットの下部域に位置して配備される受け皿において、洗浄廃液を受ける受け皿開口部と廃液処理手段とを備え、受け皿開口部のほぼ全体或いは一部がフィルタで覆われていることを特徴とする。
請求項２３の発明によれば、フィルタを受け皿に設けたことにより、ブラシユニットが軽量となり、受け皿のみをブラシユニット下部から引き出して、ファブリック等の取り換え等のメンテナンスが容易に実施できると共に、ブラシユニットを小型に設計でき、また、既設でフィルタ無し受け皿を使用している場合に対し後付けでフィルタ無しの受け皿と交換することで、フィルタ効果、省力化が得られる。
【００２７】
請求項２４の発明は、洗浄液を供給し、ブラシローラによりシリンダ表面に付着した異物を除去するシリンダ洗浄用ブラシユニットに配備され、シリンダ表面から除去された異物を含む洗浄廃液を受ける前記ユニットの下部域に位置して配備される受け皿において、洗浄廃液を受ける受け皿開口部と、受け皿開口部のほぼ全体或いは一部を覆い、洗浄廃液をろ過するフィルタと、フィルタでろ過された洗浄廃液を排出する排液口とを備え、フィルタは、少なくともブラシローラとシリンダとの接触位置における接線付近まで延びて配置されていることを特徴とする。
請求項２４の発明によれば、上記請求項２と同様の作用効果が得られる。
【００２８】
請求項２５の発明は、請求項２３又は２４において、受け皿の下方に排液受け皿を配置し、該排液受け皿が受け皿の排液口から排出される洗浄廃液を受けることを特徴とする。
請求項２５の発明によれば、排液受け皿にはドレインパイプが接続されており、一方受け皿にはドレインパイプがないので、受け皿の掃除やフィルタの交換などで受け皿を外す際に、ドレインパイプを外す手間がなく、便利である。
【００２９】
請求項２６の発明は、請求項２３又は２４において、フィルタがファブリック或いはネット或いは孔の開いたフィルムで構成されていることを特徴とする。
請求項２６の発明によれば、上記請求項３と同様の作用効果が得られる。
【００３０】
請求項２７の発明は、請求項２６において、ファブリック或いはネット或いは孔の開いたフィルムがシート状であることを特徴とする。
請求項２７の発明によれば、上記請求項４と同様の作用効果が得られる。
【００３１】
請求項２８の発明は、請求項２６において、フィルタが長尺ファブリック或いは長尺ネット或いは孔の開いた長尺フィルムで構成され、該長尺フィルタの格納部を備えていることを特徴とする。長尺フィルタはコア付きロール状、コア無しロール状、ジグザグ折り状の形態が適用できる。
請求項２８の発明によれば、上記請求項７と同様の作用効果が得られる。
【００３２】
請求項２９の発明は、請求項２８において、使用したフィルタを巻き上げるフィルタ巻取り手段を備えていることを特徴とする。
請求項２９の発明によれば、上記請求項８と同様の作用効果が得られる。
【００３３】
請求項３０の発明は、請求項２９において、受け皿が第一の端部と該第一の端部とは反対側に位置する第二の端部とを有し、第一の端部にフィルタ格納部を、第二の端部にフィルタ巻取り手段を配置したことを特徴とする。
請求項３０の発明によれば、受け皿の一方の端部にフィルタ格納部、他方の端部にフィルタ巻取り手段を配置することにより、受け皿の中間領域を覆うフィルタの面積、或いはフィルタと受け皿との間隔の広さなどの設計自由度が大きくなる。
【００３４】
請求項３１の発明は、請求項３０において、フィルタ巻取り手段が受け皿の内側に配置されていることを特徴とする。
請求項３１の発明によれば、フィルタ巻取り手段が受け皿の内側にあるので、異物を含んだ使用済みフィルタが周囲の装置に触れて汚染することがない。また受け皿の内側スペースも有効利用できるので、装置のコンパクト化が図れる。
【００３５】
請求項３２の発明は、請求項３０において、フィルタ格納部が受け皿の第一の端部でかつその背面側に配置されていることを特徴とする。
請求項３２の発明によれば、未使用のフィルタが受け皿の背面側にあるので、飛散した異物、廃液で汚染されない。
【００３６】
請求項３３の発明は、請求項３０〜３２のいずれかの記載において、ブラシローラがシリンダに対して接離する手段を持つブラシユニットに設けられる受け皿であって、受け皿は前記手段に連係して作動する駆動手段を有し、該駆動手段でフィルタ巻取り手段のフィルタ巻取部を駆動し使用したフィルタを巻き取ることを特徴とする。
請求項３３の発明によれば、別の駆動手段が不要となり、装置が簡素化される。
【００３７】
請求項３４の発明は、請求項２８において、格納部に格納されたフィルタが使用終了又は全部使用終了したことを検知するフィルタ検知手段を備えていることを特徴とする。
請求項３４の発明によれば、上記請求項１１と同様の作用効果が得られる。
【００３８】
請求項３５の発明は、請求項２３又は２４において、ファブリック或いはネット或いは孔の開いたフィルムからなるシート状フィルタを受け皿開口部に固定する機構が配備されていることを特徴とする。
請求項３５の発明によれば、シート状フィルタが受け皿開口部に確実に固定されるので、ろ過した異物が重くなってファブリック等がズレて外れたりするなどにより異物が落下し、それによるトラブルを防止できる。
【００３９】
請求項３６の発明は、請求項２３又は２４において、廃液処理手段が排液口で構成されていることを特徴とする。
請求項３６の発明によれば、ろ過した廃液をドレインパイプ等に排出する。
【００４０】
請求項３７の発明は、請求項２３又は２４において、廃液処理手段が吸液材で構成されていることを特徴とする。
請求項３７の発明によれば、受け皿に排液口が無くても、廃液を吸液した吸液材を取り出すことにより廃液処理ができる。
【００４１】
請求項３８の発明は、請求項２３又は２４において、廃液処理手段が固化剤又はゲル化剤で構成されていることを特徴とする。
請求項３８の発明によれば、固化剤或いはゲル化剤に廃液を含ませた場合には処理する際に廃液が漏れることがなく、廃液による環境汚染を防止できる。
【００４２】
請求項３９の発明は、請求項２５において、フィルタが受け部材によって支えられていることを特徴とする。
請求項３９の発明によれば、上記請求項１０と同様の作用効果が得られる。
【００４３】
請求項４０の発明に係るフィルタは、請求項１又は２のブラシユニットまたは請求項２３又は２４の受け皿に用いられ、穴加工された板状部材で構成されていることを特徴とする。
請求項４０の発明によれば、穴加工された板状部材を使うことにより、洗浄廃液から異物を分離できる。シリンダ表面から除去し飛散される角度、異物の粒度等を考慮して、板状部材の形状および穴の配置、大きさ、個数等を選定する。
【００４４】
請求項４１の発明は、請求項４０において、表面に凸部又は凹部を持っていることを特徴とする。
請求項４２の発明は、請求項４０において、表面が波状に形成されていることを特徴とする。
請求項４３の発明は、請求項４０〜４２のいずれかの記載において、板状部材の表面をフィルタで覆うことを特徴とする。
請求項４４の発明は、請求項４０〜４２のいずれかの記載において、板状部材の表面が潤滑剤で潤滑機能を付与することを特徴とする。
請求項４１〜４４の発明によれば、凹凸或いは波状にすることにより、穴の配置場所に特徴を持たせたり、更に板状部材の表面がファブリック等で覆われている場合は、ファブリック等が板状部材と部分的に離れるため、ろ過性が良くなり、また濡れたファブリック等が板状部材の表面上を通過する際に抵抗が少ないので、スムーズに移動できる。
【００４５】
請求項４５の発明は、請求項１６のブラシユニットに使用する、セット確認手段を有することを特徴とする。
請求項４５の発明によれば、上記請求項１６と同様の作用効果が得られる。
【００４６】
請求項４６の発明は、請求項３５の受け皿に用いられ、受け皿開口部に設けられたシート状フィルタの固定機構に対応した被固定手段を備えていることを特徴とする。
請求項４６の発明によれば、上記請求項２３と同様の作用効果が得られる。
【００４７】
請求項４７の発明は、請求項１〜２２のいずれかに記載のブラシユニット及び請求項２３〜３９のいずれかに記載の受け皿を備えていることを特徴とする。
請求項４７の発明によれば、上記ブラシユニットと受け皿の組み合わせによる作用効果を併せ持たせたシリンダ洗浄装置を提供できる。
【００４８】
【発明の実施の形態】
本発明のブラシユニットの実施例を図面を参照して説明する。実施例において、フィルタとはファブリック或いはネット或いは孔の開いたフィルムからなり、その形態はロール状またはシート状のいずれでも適用できる。本発明を理解し易くする為、実施例で使用するフィルタは上記いずれかの態様で説明するが、それに限定されるものでなく、他のフィルタであっても同様に実施できる。以下の説明中、「ファブリック」とは上記フィルタの総称として使用する。
【００４９】
図１に示す本発明に係るブラシユニットの第１の基本構成は、シリンダ表面から掻き取られた異物を含む洗浄廃液をブラシユニット１から排出する為に設けられたユニット開口部９に対向したフィルタ２０を有するフィルタ部１０により構成される。図２に示す本発明に係るブラシユニットの第２の基本構成は、ユニット開口部９からシリンダ１００とブラシローラ２の接触位置Ｐにおける接線Ｌ付近まで延設されたフィルタ部１０を有するよう構成されている。前記「接線付近」の範囲は、ブラシローラ２とシリンダ１００との接触位置Ｐでたわんでいたブラシが回転により接触状態が解除され、その時のブラシのフリッパー現象によりシリンダ表面から掻き取られた異物を含む洗浄廃液が飛散するシリンダ付近の領域９０を含むものである。従って、第２の基本構成におけるフィルタ部１０は、シリンダ表面から掻き取られた異物を含む洗浄廃液をブラシユニット１から排出する為に設けられたユニット開口部９の領域に配備されるフィルタ２０と上記領域９０で飛散される異物を含む洗浄廃液を受けるフィルタ２０１によって構成されている。上記２つの基本構成におけるフィルタ部１０は、ブラシユニット１或いは受け皿５０のいずれかに配備される。
【００５０】
図１において、ブラシユニット１は、洗浄すべきシリンダ１００が支持された本機フレームに配設されるサイドフレーム（図示せず）を有し、このサイドフレームには回転可能にブラシローラ２を支持し、このブラシローラ２の下方にフリッパーバー３を取り付けるステー４が固定されていると共に、ブラシローラ２がシリンダ１００に当接する位置のほぼ反対側にサイドフレームに固着されたブラシ対向フレーム６を備えており、このブラシ対向フレーム６にはブラシローラ２の上方を覆うようシリンダ側に延びるカバー７が取り付けられている。
【００５１】
カバー７の前部は、ブラシローラ２の外周に近づけ、好ましくはブラシローラ２に接するフード７ａを取り付け、カバー内方に閉じた空間を形成している。スプレーバー８は、ブラシ対向フレーム６に設けられており、前記空間内のブラシローラ２に対し洗浄液を供給する。更にはブラシ対向フレーム６の下端とステー４の間に設けられたユニット開口部９にはフィルタ部１０を配置し、このフィルタ部１０の下方に受け皿５０が配備される。ユニット開口部９は、シリンダ１００とブラシローラ２の接触位置Ｐよりブラシローラ２の回転方向下流に位置され、シリンダ表面から除去される異物を含む洗浄廃液をユニット１から排出する。
【００５２】
フリッパーバー３は、ブラシローラ２の長手方向かつブラシ全長にわたって設けられ、ブラシローラ２の回転方向下流で、ユニット開口部９よりブラシローラ２の回転方向上流に配置されている。フリッパーバー３のブラシローラ２に当接する部分３ａは、ブラシローラ２の外周面に干渉する位置に調整し固定される。好ましくは、図１において、フリッパーバー３の部分３ａはブラシローラ２の回転中心Ｃを通る垂直面ＶＰを含むその近傍に位置する。
フリッパーバー３は、移動可能に支持され、ブラシローラ２の当接量を調節するため、後述の位置調整機構が設けられている。
【００５３】
ブラシ対向フレーム６は、ブラシローラ２の外周に対し所定円周角Ａの範囲に接触または接近する曲面６ａを有し、上部はカバー７の前部に向けて延びており、下部はステー４との間にブラシローラ２の長手方向に所定幅のユニット開口部９の縁を形成するように延びでいる。ブラシ対向フレーム６の曲面６ａの下部縁から斜め後方に延びており、シリンダ１００に対し離れる斜面６ｂが設けられてる。ブラシローラ２がフリッパーバー３を通過する際に、シリンダ表面から掻き取られた異物や洗浄廃液が跳ね飛ばされ、ユニット開口部９を通してフィルタ部１０へ排出される。
上記構成によれば、ブラシローラによりシリンダ表面から除去された異物を含む洗浄廃液の中から異物がフィルタ２０でろ過される。ろ過された洗浄廃液は、受け皿５０に受けられた後、排液口５１から排液受け皿５３に排出され、その排液口５４からドレインパイプを通して機外へ排出される。
【００５４】
次に上記第１および第２の基本構成の実施例を説明する。図３は第１実施例の側面図である。以下の説明において、図１および図２のブラシユニットの構成部材と同一機能を有する構成部材については、同一符合を付し、その説明を適宜省略する。
フィルタ部１０は、ユニット開口部９全体の下方に穴加工された受け部材１１がブラシ対向フレーム６からステー４へ向かって下り勾配に傾斜させて配置され、この受け部材１１の上面全部をファブリック２０が覆っている。フィルタ部１０とユニット開口部９との間には、ステー４、ファブリック２０、ブラシ対向フレーム６及び両側のサイドフレームによって閉じた空間が形成されている。フィルタ部１０を傾斜させることによりユニット開口部９に排出される洗浄廃液に晒されるブラシ対向フレーム６が少なくなり、異物の付着を極力抑えることができる。
【００５５】
フィルタ部１０の下部には、ステー４の下方まで延びている受け皿５０が引出し可能に配備されており、シリンダ表面から除去された異物を含む洗浄廃液をドレインパイプ等に排出するための排液口５１が設けられている。ここで、排液口５１は、本発明において、廃液処理手段を構成している。
受け部材の他の実施形態を説明する。受け部材１１は、穴加工された板状部材や櫛歯状部材やメッシュの粗い網状部材からなり、それ自体でろ過作用を持たせ、単独で使用する構造にしたり、或いは図１に示す如くファブリック２０で表面を覆って使用するなど種々の態様がある。
【００５６】
ファブリック２０と組合わせで使われる受け部材１１の実施例を説明する。受け部材１１の表面構造として、平面又は平面上に凸部又は凹部を形成した構造、或いは波状構造に形成する。凸部のある場合には、凸部間の谷部に穴が設けられる。また、凹部のある場合には、凹部内に穴が設けられる。図４に示す受け部材１１は、穴１３が加工された平板であり、また、図５に示す受け部材１１は波状に形成されており、谷部分に穴１３が設けられる。更に、図６に示す受け部材１１は階段状に形成されており、水平面となる段部分１１ａに穴１３が設けられる。これら板状部材として構成される受け部材１１の表面の接触抵抗が大きい場合には、必要に応じて潤滑剤で潤滑機能が付与される。これによりファブリック２０が密着し、ろ過性能を低下させることがなく、また接触抵抗を小さくし表面上の移動をスムーズにする。
【００５７】
ファブリック２０は、シート状又は長尺のものを使用しており、含油・吸油・親油性或いは含水・吸水・親水性を持たない材質、例えば合成繊維、天然繊維、金属線或いはそれらを混ぜて作られている。ファブリック２０の代替物としては、合成繊維、天然繊維、金属線或いはそれらを混ぜて作成した網状或いはスダレ状のネット或いは孔明きフィルムが適宜選択できる。
【００５８】
フィルタ部の実施形態を説明する。フィルタ部１０は、ブラシユニット１に設ける実施形態▲１▼と受け皿５０に設ける実施形態▲２▼がある。
実施形態▲１▼のフィルタ部は、図３の傾斜配置および図７の水平配置が適宜選択できる。傾斜配置のフィルタ部については、基本的な構成が図３により前述した通りなので、その説明は省略する。図７は第１の基本構成を持ったブラシユニットの第２実施例を示す側面図である。本実施例はブラシ対向フレーム６の下端とステー４の下端とを同じ水平レベルにフィルタ部１０を位置させ、受け部材１１が水平に位置し、その受け部材１１によりファブリック２０が支えられている。本実施例では、ユニット開口部９に面するブラシ対向フレーム６の下部面は、下方に末広がりに形成されている。
【００５９】
図８は本発明の第２の基本構成を持ったブラシユニットの第１実施例を示す側面図である。本実施例は、ユニット開口部９からシリンダ１００とブラシローラ２の接触位置Ｐにおける接線付近まで延設されたフィルタ部１０を有する。受け部材１１のシリンダ１００側に位置し、シリンダ１００とブラシローラ２の接触位置Ｐの下方の領域９０に張出部１１０が延びている。ステー４と受け部材１１との間には、ファブリック２０が通る間隙が設けられている。ステー４内に収容されたファブリック２０は、張出部１１０側に繰り出され、張出部１１０の上面から下面側を通し、受け部材１１と張出部１１０との間の通路１２を通し、受け部材１１の上面側を通してフィルタ巻取り部４０の巻取り軸４１に巻き付ける。これにより、フィルタ部１０は、ユニット開口部９に設けられたフィルタ２０と領域９０に設けられたフィルタ２０１によってシリンダ表面から除去した異物を含む洗浄廃液をろ過する。
【００６０】
図９はフィルタ部を受け皿に設けた実施例の斜視図、図１０は図９のＩ−Ｉ断面図、図１１はシート状フィルタの平面図である。本実施例は受け皿５０の受け皿開口部５０ａを覆うようにしてシート状のファブリック２０が設けられる。受け皿５０のシート状のファブリック２０で覆う部位は受け皿開口部５０ａの全体を覆っても良いが、受け皿開口部５０ａの一部でブラシユニット１から異物を含む洗浄廃液が落ちる部位だけでも良い。更に、図１０の２点鎖線で示すように受け皿開口部５０ａにファブリック２０を支える受け部材１１を取外し可能に設けても良い。
【００６１】
ブラシローラ２の長手方向の受け皿前壁には、シート状のファブリック２０の固定機構として、固定フック５２が複数配置され、受け皿後壁にはヒンジ５３で回動可能な可動フック５４が複数配置されている。シート状のファブリック２０には、固定機構に対応した被固定手段として、フック係止穴５５が設けられている。シート状ファブリック２０の一端のフック係止穴５５を固定フック５２に引っ掛け、受け皿開口部５５ａを覆って受け皿後壁に添わせ、他端のフック係止穴５５に可動フック５４を引っ掛けて固定する。
【００６２】
図１２はシート状ファブリックの配設方法の変形例を示す。本例は受け皿開口部５０ａを長手方向に部分的に又は全体をフィルタで覆うもので、受け皿５０のシート状ファブリック２０の固定機構を側壁に、図１０の同一構造の固定フックと可動フック５４が配置されている。
フィルタ格納部の実施形態を説明する。フィルタ格納部３０は、長尺ファブリックや長尺ネットや孔の開いた長尺フィルムを収容する構造を有し、ブラシユニット１或いは受け皿５０に配設される。図３、図７および図８は、ステー４の内部をフィルタ格納部３０として利用する実施例を示すもので、図示の如く巻芯に巻回されたファブリックロール２１、或いは巻芯のないファブリックロール、折り畳まれた長尺ファブリック（図１３，図１５，図２５参照）が収容される。
【００６３】
ステー４の内側をフィルタ格納部３０として利用する場合、ステー４はブラシローラの長手方向に延びたチャンネル構造（図３参照）又はアングル構造（図示せず）とし、このステー４をブラシユニット１のサイドフレームに固着すると共に、ステー４にはフリッパーバー３を取り付ける。ステー４のチャンネル又はアングルの内側空間は、フィルタ格納部３０や後述のフリッパーバー３の位置調整機構６０を設ける場所として利用される。
【００６４】
ステー４の下方開放部分は、受け部材１１で塞いで、フィルタ格納部３０の底面を形成している。受け部材１１の一端は、フィルタ部１０とは反対側に位置するステー４の下端の枢着部４１に回動可能に取り付けられている。ファブリック２０は、受け部材１１とステー４の下端との間を通してフィルタ部１０に供給される。
【００６５】
図１３は第１の基本構成を持ったブラシユニットの第３実施例を示す側面図である。本実施例は、ステー４の下方にフィルタ格納部３０が配置された構造である。フィルタ格納部３０は、アッパープレート３２をステー４の下面に固定し、このアッパープレート３２にヒンジ３３を介して格納部本体３１が回動可能に取り付けられている。格納部本体３１は、ヒンジ３３により図中の実線（使用時）と二点鎖線（フィルタ装填時）の間を回動可能になっている。ヒンジ３３とは反対側に位置する格納部本体３１の開口縁は、ブラシ対向フレーム６の下面に達する受け部材１１が折り曲げ加工によって一体形成されている。受け部材１１のセット状態（図示の実線）において、アッパープレート３２と受け部材１１との間には、ファブリック２０を繰り出すスリット状の出口３４が設けられている。
【００６６】
変形例として、図１４に示す構造は、格納部本体３１のフィルタ出口部分を上方水平部３５ａから立下り部３５ｂを経て下方水平部３５ｃとなる堰き部３５を設けることで、洗浄廃液の格納部本体３１への侵入を阻止することができる。
【００６７】
図１５は本発明の第２の基本構成を持ったブラシユニットの第２実施例を示す側面図である。フィルタ格納部３０は、容器構造とし、スリット状の出口３４１からファブリック２０が繰り出される。ファブリック２０の装填は、容器の一つの壁を蓋（図示せず）として開閉可能にし、その蓋を開放して行う。
上記各実施例に適用されるファブリック２０は、ロール形態２１或いは折畳み形態２２のいずれかを適宜選択できる。
【００６８】
ブラシ対向フレーム６の背部にはフィルタ巻取り手段４０が配置されており、フィルタ部１０で使用したファブリック２０を巻取り軸４１に巻き上げる。巻取り軸４１は、手動又は動力によって回転させる。フィルタ巻取り手段４０は、図３を代表とするように受け皿とは独立して配置された構造、或いは図２５を代表とするように受け皿に配置された構造がある。
巻取り軸４１にファブリック２０を巻き付ける際にファブリック２０の左右或いは表裏を間違えて取り付けない為に、巻取り軸４１への巻き付け方向、つまり異物が付着した面を内側にして巻き付ける方向やファブリック２０の異物捕捉面をユニット開口部９に向けるように、巻取り軸４１に対してファブリック２０の位置決めを行うセット確認手段を有する。図１６は巻取り軸４１のセット確認手段の実施例を示す。図１７はファブリックロールのセット確認手段の実施例を示す。
【００６９】
図１６において、巻取り軸４１のセット確認手段は、軸上に設けられた所定位置に１又は複数の突起４２で構成される。ファブリックロール２１のセット確認手段は、ファブリック２０の前端近傍に設けられた１又は複数の係止穴２３により構成され、この係止穴２３は巻取り軸４１の１又は複数の突起４２に対応させて正規の位置決めが行われるようその位置や穴ピッチや個数が決められる。セット確認手段は、図１３や図１５に示す折畳み形態のファブリック２２にも同様に設けられる。
【００７０】
フィルタ検知手段の実施形態を説明する。フィルタ検知手段は、格納部本体３１に収容されたファブリック２０が使用終了又は全部使用終了したことを検知する機能を有する。図１８はファブリックロール等のロール形態のフィルタ検知手段の実施例を示す概念図、図１９はファブリックロール２１を幅方向から見た正面図である。ファブリックロール２１を受ける複数の電気接点７０（７０ａ，７０ｂ）を設け、この電気接点７０間に対応する巻芯２４の外周面にアルミ箔等の導電材７１を施し、電気接点７０間の通電を検知する。電気接点７０は、外部の電気回路に接続され、ＯＮ−ＯＦＦによりファブリック２０が使用終了又は全部使用終了したことを検知する。
本例によれば、ファブリック２０が無くなると電気接点７０が導電材７１に接触し、電気接点７０間が通電（ＯＮ）されることにより、警報を発する。
【００７１】
図２０は折畳みファブリック等の折畳み形態のフィルタ検知手段の実施例を示す概念図である。折畳みファブリック２２のファブリック２０の終端を形成するファブック面にアルミ箔等の導電材７３を設け、この導電材７３に電気接点７０（７０ａ，７０ｂ）を接触させる。
本例によれば、最後の一折りのファブリック２０が繰り出されると電気接点７０が導電材７３から離れることにより、通電が断たれ、警報を発する。
フィルタ検知手段の他の実施例として、反射型の光センサをフィルタ格納部３０に配置し、ファブリックロール２１または折畳みファブリック２２で反射した光を検知することで、ファブリック２０の全部使用終了または終了を検知する光センサ方式でも良い。
【００７２】
フリッパーバーの位置調整機構の実施形態を説明する。シリンダ表面から除去した異物を含む洗浄廃液をフリッパーバー３によりブラシローラ２から離れさせ、これをユニット開口部９を目指して適確に飛散させる為、フリッパーバー３とブラシローラ２との当接量が位置調整機構により調整される。図２１は位置調整機構の実施例を示す、図２２は図２１のＩＩ−ＩＩ矢視を示す。
【００７３】
位置調整機構６０は、ブラシローラ２に向かう矢印方向（縦方向）にフリッパーバー３を移動させて頂点３ａとブラシローラ２との当接量の調整を行う為、フリッパーバー３はステー４の裏側から複数の調整ボルト６１で上下方向に移動可能に支持され、その位置調整後に複数の固定ボルト６２を締めてフリッパーバー３を固定する。
【００７４】
図２３は位置調整機構の他の実施例を示す。本例では、ブラシローラ２を横切る矢印方向（横方向）にフリッパーバー３を移動させてブラシローラ２との当接量の調整を行う為、フリッパーバー３を取り付けるステー４の上壁にはフリッパーバー３の移動方向に長孔６３が形成され、この長孔６３に固定ボルト６２１を貫通させ、フリッパーバー３に螺合されている。フリッパーバー３のシリンダ側には、調整ボルト６１１が設けられており、調整ボルト６１１を回してフリッパーバー３を矢印方向に移動させ、位置調整が行われた後、固定ボルト６２１を締めてフリッパーバー３を固定する。
【００７５】
受け皿の廃液処理手段の実施形態を説明する。廃液処理手段は、上記実施例において説明した排液口で構成する他に、受け皿５０内に吸液材として、図２４に示すように吸液シート５７を敷き、洗浄廃液を吸収・吸着させ、吸液シート５７を廃棄する。他の実施例としては、受け皿５０に溜まった洗浄廃液に固化剤又はゲル化剤を作用させ、洗浄廃液を固化又はゲル化し、廃棄する。
【００７６】
本発明に係る受け皿の更に異なる実施形態を説明する。本実施例は、受け皿５０にフィルタ格納部３０、使用済フィルタの巻取部４０を組み込んだ構造である。図２５は折り畳まれた長尺ファブリックが収容されるフィルタ格納部を備えたブラシユニットを示す。図２６は巻芯に巻回されたファブリックロール、或いは巻芯のないファブリックロールが収容されるフィルタ格納部を備えたブラシユニットを示す。
受け皿５０は、フリッパーバー３の位置からシリンダ１００に延びた前出部５０１を備えており、この前出部５０１の下面には、受け皿内側に突出形成されたフィルタ格納部３０が設けられている。前出部５０１の先端は、ブラシローラ２とシリンダ１００との接触位置におけるブラシローラ２のフリッパー現象によって下方域に飛散する異物を含む洗浄廃液を受ける為、シリンダ１００に近づけた位置まで延びている。
【００７７】
フィルタ格納部３０は、上方が開放されたトレイ３０１の一端を、受け皿５０の中央寄りの下面にヒンジ３３によって回動可能に取り付け、トレイ３０１の他端には前出部５０１の先端近傍の下面との間にファブリック２０の出口３４２が形成されている。受け皿５０の後部には、ファブリック２０のガイドローラ５６を配置し、このガイドローラ５６と受け皿５０の後壁との間にフィルタ巻取り部４０の巻取り軸４１が配置されている。ファブリック２０は、受け皿５０を引き抜いた状態でセットされる。即ち、トレイ３０１を２点鎖線の如く開き、ファブリック２０を収容し、ファブリック２０のリードエッジが出口３４２から出るようにしてトレイ３０１を回動させて実線位置に固定する。ファブリック２０を繰り出し、巻取り軸４１に巻き付け、前出部５０１の先端を回して受け皿開口部、ガイドローラ５６の上を通ってフィルタ巻取り部４０に、図示の如く巻取り軸４１をセットする。
【００７８】
次に上記ブラシユニットを備えたシリンダ洗浄装置について説明する。図２７は本発明に係るシリンダ洗浄装置の実施形態の模式図である。シリンダ洗浄装置は、ブラシユニット１を洗浄すべきシリンダ１００に対向して進退させるエアシリンダ１４、ブラシローラ駆動装置（図３０に示す符号９に相当する装置）、スプレーバーにより洗浄液をブラシローラ２に供給する洗浄液供給装置８０、ファブリック２０の巻取り軸４１を間欠的に回転させる巻取り軸駆動装置、これらの装置を制御する制御装置などにより構成されている。
フィルタ巻取り手段は、受け皿５０に備えた巻取り軸駆動装置で実現されている。巻取り軸駆動装置の一実施例を説明する。図２７において、巻取り軸４１は、受け皿５０に回転可能に支持されており、その軸端にはワンウェイクラッチを介してレバー４２が取着されている。レバー４２はスプリング４３により巻取り軸４１にファブリック２０を巻回しない回転方向、つまりワンウェイクラッチが働かない回転方向に付勢している。レバー４２は、ブラシユニット１の進退機構の動作に連係して図示の実線位置と二点鎖線位置の間を回動する。ブラシユニット１の進退機構は、ブラシローラ２をシリンダ１００に接触或いは離間させる為、ブラシユニット１を本機フレームに対して可動自在に支持し、エアシリンダ１４で作動させる。ブラシユニット１の動きは、レバー押し体４４を介してレバー４２に伝達され、レバー４２を反付勢方向（二点鎖線位置から実線位置）に回動させ、ワンウェイクラッチを働かせて巻取り軸４１を回転させ、ファブリック２０を巻回する。
本実施例のフィルタ巻取り手段は、フィルタ格納部３０に格納されるフィルタがロール或いは折り畳みのいずれの形態でも適用できる。
上記の各実施例は、水または／および溶剤からなる洗浄液をブラシローラに供給するウェット洗浄方式のブラシユニットを説明したが、本発明は洗浄液を使用しない方式、すなわちドライ洗浄方式のブラシユニットとしても適用できるものである。図２８はドライ洗浄方式のブラシユニットの模式図である。ドライ洗浄方式は、ウェット洗浄方式の構成のうち、洗浄液供給装置と洗浄廃液排出装置が不要となる。開口部９には、シリンダ表面から除去した異物を受けるシート又はウェブ２５が設けられている。シート又はウェブ２５の下方には、補助受け皿５０Ａが配置され、落ちる異物を受ける。シート又はウェブ２５は、ブラシユニット１側、或いは補助受け皿５０Ａ側に装填する。ウェブの格納および巻取りは、ウェット洗浄方式で適用されているフィルタ格納部およびフィルタ巻取り手段と同様の構成を採用することができる。
【００７９】
本発明は、上記の実施例におけるブラシローラとシリンダの回転を図１に示す方向の形態で説明したが、これに限定されない。ブラシユニットをシリンダのどの場所に設置するかは、装置の配置レイアウトによって任意に選択可能であり、場合によってはシリンダが図１に示す回転方向とは逆向きの回転になることもある。そのような配置であっても十分機能を発揮することができる。
【００８０】
【発明の効果】
本発明のブラシユニットによれば、ブラシローラによりシリンダ表面から除去された異物が受け皿に入る前に捕らえられ、受け皿に直接接触せず、異物が付着する為に受け皿が汚れることを防止できると共に、異物を容易に排出処理できる。
【００８１】
本発明の受け皿によれば、ブラシローラによりシリンダ表面から除去された異物を受け皿に入る前に捕らえる部材を受け皿に設けたことにより、ブラシユニットが軽量となり、受け皿のみをブラシユニット下部から引き出して、ファブリック等の取り換え等のメンテナンスが容易に実施できると共に、ブラシユニットを小型に設計できる。また、既設で上記部材を持たない受け皿を使用している場合に対し後付けで上記部材を持った受け皿と交換することで、省力化が得られる。
【図面の簡単な説明】
【図１】本発明に係るブラシユニットの第１の基本構成の概念図である。
【図２】本発明に係るブラシユニットの第２の基本構成の概念図である。
【図３】本発明の第１の基本構成を持ったブラシユニットの第１実施例の側面図である。
【図４】穴加工された平板構造の受け部材の斜視図である。
【図５】波状に形成された受け部材の斜視図である。
【図６】階段状に形成された受け部材の斜視図である。
【図７】本発明の第１の基本構成を持ったブラシユニットの第２実施例の側面図である。
【図８】本発明の第２の基本構成を持ったブラシユニットの第１実施例の側面図である。
【図９】本発明に係る受け皿の実施例を示す斜視図である。
【図１０】図９のＩ−Ｉ断面図である。
【図１１】シート状のファブリックの平面図である。
【図１２】本発明に係る受け皿の他の実施例を示す斜視図である。
【図１３】本発明の第１の基本構成を持ったブラシユニットの第３実施例を示す側面図である。
【図１４】フィルタ格納部の変形例を側方から見た図である。
【図１５】本発明の第２の基本構成を持ったブラシユニットの第２実施例を示す側面図である。
【図１６】巻取り軸のセット確認手段の実施例を示す斜視図である。
【図１７】ファブリックロールのセット確認手段の実施例を示す斜視図である。
【図１８】ロール形態のフィルタ検知手段の実施例を示す概念図である。
【図１９】ファブリックロール等を幅方向から見た正面図である。
【図２０】折畳み形態のフィルタ検知手段の概念図である。
【図２１】フリッパーバーの位置調整機構の実施例を示す側面図である。
【図２２】図２１のＩＩ−ＩＩ矢視図である。
【図２３】フリッパーバーの位置調整機構の他の実施例を示す側面図である。
【図２４】廃液処理手段を吸液材で構成した実施例を示す側面図である。
【図２５】本発明に係る受け皿の他の実施例を示す側面図である。
【図２６】本発明に係る受け皿の他の実施例を示す側面図である。
【図２７】フィルタ巻取り手段の実施例を示す側面図である。
【図２８】本発明に係る洗浄液を使用しない方式のシリンダ洗浄装置の実施例を示す側面図である。
【図２９】従来のシリンダ洗浄装置の側面図である。
【図３０】従来のシリンダ洗浄装置の斜視図である。
【符号の説明】
１…ブラシユニット、２…ブラシローラ、３…フリッパーバー、４…ステー、５…サイドフレーム、６…ブラシ対向フレーム、７…カバー、８…ノズル、９…ユニット開口部、１０…フィルタ部、１１…受け部材、２０…ファブリック、２１…ファブリックロール、２２…折畳みファブリック、３０…フィルタ格納部、４０…フィルタ巻取り部、５０…受け皿、５１…排液口、６０…フリッパーバー位置調整機構、５３…排液受け皿、１００…シリンダ。
【図１】
2004148132.tif 000003
【図２】
2004148132.tif 000004
【図３】
2004148132.tif 000005
【図４】
2004148132.tif 000006
【図５】
2004148132.tif 000007
【図６】
2004148132.tif 000008
【図７】
2004148132.tif 000009
【図８】
2004148132.tif 000010
【図９】
2004148132.tif 000011
【図１０】
2004148132.tif 000012
【図１１】
2004148132.tif 000013
【図１２】
2004148132.tif 000014
【図１３】
2004148132.tif 000015
【図１４】
2004148132.tif 000016
【図１５】
2004148132.tif 000017
【図１６】
2004148132.tif 000018
【図１７】
2004148132.tif 000019
【図１８】
2004148132.tif 000020
【図１９】
2004148132.tif 000021
【図２０】
2004148132.tif 000022
【図２１】
2004148132.tif 000023
【図２２】
2004148132.tif 000024
【図２３】
2004148132.tif 000025
【図２４】
2004148132.tif 000026
【図２５】
2004148132.tif 000027
【図２６】
2004148132.tif 000028
【図２７】
2004148132.tif 000029
【図２８】
2004148132.tif 000030
【図２９】
2004148132.tif 000031
【図３０】
2004148132.tif 000032